(57)【特許請求の範囲】
【請求項１】
上翼板５の表面中央に凹陥部１１を凹設し、凹陥部１１の底部１２に爪孔１３を穿設し、凹陥部１１に停止爪２４を下面に設けた爪体２を嵌装し、爪体２は両側壁２５にガイド突条部２６を垂直方向に突設し、凹陥部１１あるいは凹陥部１１と支持片１４の両側壁１５にガイド溝１６を垂直方向に凹設し、ガイド突条部２６をガイド溝１６へ摺動自在に嵌挿し、支持片１４に軸支した引手３の一端のカム３０を爪体２の頂面２１へ当接し、爪孔１３から停止爪２４を出没可能に形成したことを特徴とする停止装置付スライドファスナー用スライダー。
【請求項２】
爪体２の頂面２１は中央横一線に突出する山形状に形成して頂点２２を設け、引手３のカム３０は一面が略直線状で他面が弧状を呈し、引手３を後口側へ倒伏させたとき、カム３０の前端３１が頂点２２を乗越え、かつ引手３を起立させるとカム３０が爪体２の斜面２３に当接し自由に倒伏できないように付勢する形に形成してなる請求項１記載の停止装置付スライドファスナー用スライダー。
【請求項３】
上翼板５の内面の中央長手方向において突出する仕切部９を設け、該仕切部９の両側に爪孔１３を穿設し、爪体２の下面の中央縦方向を除く両側に突出する停止爪２４を並設し、停止爪２４と爪孔１３とを対向させ配置してなる請求項１記載の停止装置付スライドファスナー用スライダー。
【請求項４】
爪体２の下面左右に突設する停止爪２４は、左右の停止爪２４において半ピッチ位相をずらし、左右のファスナーエレメントＥのピッチに合致させてなる請求項３記載の停止装置付スライドファスナー用スライダー。
【請求項５】
上翼板５の内面の中央長手方向において突出する仕切部９を設け、該仕切部９に爪孔１３を穿設し、爪体２の下面の中心に停止爪２４を突設し、停止爪２４と爪孔１３とを対向させ配置してなる請求項１記載の停止装置付スライドファスナー用スライダー。
【請求項６】
引手３の一端に設けるカム３０は、引手３における表裏両面へ対称に突出する形状に形成し、引手３の倒伏によって爪体２の頂面２１に形成した両斜面２３に当接可能に形成してなる請求項１記載の停止装置付スライドファスナー用スライダー。
【発明の詳細な説明】
【０００１】
【発明の属する技術分野】
この発明は、通常タイプのスライドファスナーに使用するロック機構を備えたスライダーであって、停止爪を有する爪体をスプリングを用いずに引手の起伏操作により、ファスナーエレメントの反発力を利用してロック機構を働かせる停止装置付スライドファスナー用スライダーに関するものである。
【０００２】
【従来の技術】
従来、この種のロック機構を備えたスライドファスナー用スライダーは、たとえば図１５に示すように、スライダー胴体の上翼板の表面中央に湾曲状に切欠した凹欠部を設け、この凹欠部の底部に片寄った位置に爪孔を設け、凹欠部に浮動自在に配する板バネは、中央にＵ状突出部を突設して爪孔に出没自在に配し、板バネの一端を凹欠部の端部に設けた凹部に固定するとともに、その上方から上翼板に設けた柱体に枢支した引手の頂部に設けたカムを当接し、引手の起倒操作によって、板バネのＵ状突出部を一方側のファスナーエレメント間に突出させてスライダーを停止させる停止装置付スライドファスナー用スライダーが実公昭４５−２１６５号公報に開示されている。
【０００３】
また、図１６に示すように、スライダーは胴体、揺動板、カバー、引手からなり、上翼板の上面に凹陥部を設け、凹陥部の後方片側に爪孔、前後にフック状のカバー取付柱、両側に軸受突部を設け、揺動板はヘ字状に湾曲した板体から形成し、背面にカムの当接を逃避する段差面を設け、一端に下向の円形頭部、他端に片側へ偏倚した停止突部を設ける。引手は一端の枢軸の中央にカムを一体に設け、カムの先端は引手の枢軸の軸心よりも先端側に偏倚させ、そして凹陥部内に揺動板を配し、その上方から引手の枢軸を軸受突部に載架し、カムを揺動板の背面に当接させた状態でカバーを取付柱に被着するとともに、カバーに設けた突片を揺動板の円形頭部に当接させ、引手を倒伏させたとき揺動板がむやみに浮上しロック機能を失うことを防いだ停止装置付スライドファスナー用スライダーが特開平１０−１２７３１２号公報に開示されている。
【０００４】
【発明が解決しようとする課題】
前項で述べた図１５に示した停止装置付スライドファスナー用スライダーは、引手のカムと板バネとの接点を考えると、引手を倒伏してロック機構を作動させたとき、咬合子によってＵ状突出部を押上げる作用、および板バネの復元力すなわち後方への摺動による相乗作用によって、引手を跳ね上げるおそれがありロック機能が不安定であること、また板バネの突出部は単にＵ状に湾曲したものであり、変形し易く的確なロック機能が期待できないなど問題点がある。
【０００５】
また、図１６に示した停止装置付スライドファスナー用スライダーにおいては、カムによって揺動板が押圧され、揺動板に形成された停止突部がコイル状ファスナーエレメント間に圧入した際に、ファスナーエレメントからの反発力を受ける停止突部と、カムと揺動板との当接部間に大きな間隔が存在するため、ファスナーエレメントの反発力によって揺動板がカムとの当接部分を中心に捩れて変形し、以後停止突部がファスナーエレメントに対して十分な停止動作を行なうことができなくなる。また揺動板の停止突部は片側に偏倚しているため、片側のファスナーエレメントのみによりロック機構が作用し、左右均等にロック機能を果すことができないなど問題点がある。
【０００６】
この発明は、上述の問題点を考慮して発明されたものであり、この発明のうち請求項１記載の発明は、スライダーに備わるロック機構が従来のスライダーとは異なり、引手の起倒操作によってファスナーエレメント列に対し直角方向から作動するロック機構を案出したものであり、ロック機構は頑丈で的確に作動し充分にロック機能を果し、しかもロック機構を小型化に適した形態に形成し、スライダー自体の形態も小型化することが可能な停止装置付スライドファスナー用スライダーを提供することが主たる目的である。
【０００７】
請求項２記載の発明は、請求項１記載の発明の目的に加え、ロック機構である引手のカムと爪体との関係を特定することにより、むやみにロック機構が解除され摺動することがなく、また一旦ロック機構が解除されると意図したロック操作を行なわない限りロック機構が働かない停止装置付スライドファスナー用スライダーを提供することが目的である。
【０００８】
請求項３および４記載の発明は、請求項１記載の発明の目的に加え、ロック機構がスライダーの中心よりも左右にそれた両側において左右のファスナーエレメント列に合致し、均等に作用するように形成し、優れたロック機能が発揮できる停止装置付スライドファスナー用スライダーを提供することが目的である。
【０００９】
請求項５記載の発明は、請求項１記載の発明の目的に加え、ロック機構がスライダーの中央において左右いずれかのファスナーエレメント列の噛合頭部側で均等に作用するように形成し、優れたロック機能が発揮できる停止装置付スライドファスナー用スライダーを提供することが目的である。
【００１０】
請求項６記載の発明は、請求項１記載の発明の目的に加え、引手の前後への倒伏操作によって、前後においてロック機構がスムーズに作動し、優れたロック機能が発揮できる停止装置付スライドファスナー用スライダーを提供することが目的である。
【００１１】
【課題を解決するための手段】
前記の目的を達成するため、この発明のうち請求項１記載の発明は、スライダー胴体１の上翼板５の表面中央に凹陥部１１を凹設し、この凹陥部１１の底部１２に停止爪用の爪孔１３を穿設し、凹陥部１１に停止爪２４を下面に設けた非弾性体の爪体２を嵌装し、爪体２は両側の側壁２５に垂直方向に突出するガイド突条部２６を設け、一方凹陥部１１あるいは凹陥部１１と支持片１４の両側の側壁１５に垂直方向に凹溝のガイド溝１６を設け、ガイド突条部２６をガイド溝１６へ摺動自在に嵌挿して爪体２を上下動できるように形成し、爪体２の停止爪２４を設けた面とは反対側の頂面２１に支持片１４に軸支した引手３の一端に設けたカム３０を当接し、爪孔１３から停止爪２４を出没できるように形成した停止装置付スライドファスナー用スライダーを主な構成としている。
【００１２】
請求項２記載の発明は、請求項１記載の発明の構成に加え、爪体２の停止爪２４を設けた面とは反対側の頂面２１を中央横一線に突出する山形状に形成して頂点２２を設け、引手３の一端に設けたカム３０は一面が略直線状で他面が弧状を呈し、引手３を胴体１の後口側へ倒伏させたとき、カム３０の前端３１が頂点２２を乗越え、かつ引手３を起立させるとカム３０が爪体２の頂面２１における斜面２３に当接し、引手３を自由に倒伏できないように付勢する形態に形成した停止装置付スライドファスナー用スライダーである。
【００１３】
請求項３記載の発明は、請求項１記載の発明の構成に加え、胴体１の上翼板５における内面の中央長手方向に左右のファスナーエレメントＥを仕切るための突出する仕切部９を設け、この突出する仕切部９の両側に凹陥部１１の底部１２に設ける爪孔１３を平行状に穿設し、一方爪体２の頂面２１とは反対側の下面に中央縦方向を除く両側において突出する停止爪２４を並列状に設け、停止爪２４と爪孔１３とを対向状に配置した停止装置付スライドファスナー用スライダーである。
【００１４】
請求項４記載の発明は、請求項３記載の発明の構成に加え、爪体２の下面左右両側に並列状に突設する停止爪２４は、左右の停止爪２４間において半ピッチ位相をずらし、左右のファスナーエレメントＥのピッチに合致させた停止装置付スライドファスナー用スライダーである。
【００１５】
請求項５記載の発明は、請求項１記載の発明の構成に加え、胴体１の上翼板５における内面の中央長手方向に左右のファスナーエレメントＥを仕切るための突出する仕切部９を設け、この突出する仕切部９に凹陥部１１の底部１２に設ける爪孔１３を１個穿設し、一方爪体２の頂面２１とは反対側の下面の中心に停止爪２４を１個突設し、停止爪２４と爪孔１３とを対向状に配置した停止装置付スライドファスナー用スライダーである。
【００１６】
請求項６記載の発明は、請求項１記載の発明の構成に加え、胴体１に取付ける引手３の一端に設けるカム３０は、引手３における表裏両面へ対称すなわち直線状の面は直線状の面、弧状の面は弧状の面と対応する形で突出し、引手３の前後への倒伏によって爪体２の頂面２１に形成した前後の斜面２３に当接できるように形成した停止装置付スライドファスナー用スライダーである。
【００１７】
【発明の実施の形態】
以下、この発明の停止装置付スライドファスナー用スライダーの実施の形態について、図面を参照しながら具体的に説明する。
【００１８】
この発明の停止装置付スライドファスナー用スライダーは、図１に示すように、ロック機構を備えた通常タイプのスライダーであって、スライダーを構成する構成部材は胴体１、爪体２、引手３およびカバー４の四部材から構成され、これらの部材はポリアミド、ポリアセタール、ポリプロピレン、ポリプチレンテレフタレートなどの熱可塑性樹脂またはこれらの樹脂に耐摩耗性強化材を加えて射出成形手段または押出成形手段によって各部材を成形する。またアルミニウム合金、亜鉛合金などの金属をダイカスト成形手段によって成形してもよい。さらに金属製部材と樹脂製部材とを組合せてスライダーを組立てることもできるが、好ましくは胴体１、爪体２、引手３、カバー４の四部材を同一素材を用いて成形するのがよい。
【００１９】
図１〜７に示す第１実施例のスライダーは、胴体１、爪体２、引手３、カバー４を全て熱可塑性樹脂の同一素材を用いて成形したものであり、胴体１は上翼板５と下翼板６とを案内柱７で連結し、下翼板６の両側縁にはファスナーエレメントＥ、特にコイル状ファスナーエレメントＥをガイドするためのガイドフランジ８が突設され、さらに上翼板５の内面中央に長手方向に沿って左右のコイル状ファスナーエレメントＥを仕切るために仕切部９を設け、かつ上翼板５と下翼板６との間にコイル状ファスナーエレメント用の摺動溝１０が設けられている。そして上翼板５の上面中央部分に凹状の凹陥部１１が設けられ、この凹陥部１１は底部１２側がやや狭く形成され、底部１２に爪体２の下面に設けた２条の停止爪２４を挿入できる２条の爪孔１３を穿設し、爪孔１３は中央部分の仕切部９の両側に並列状に設けられている。
【００２０】
胴体１の上面に設けた凹陥部１１の左右両側には、引手３の枢軸２９を載置できる支持片１４が突設され、支持片１４の上面は枢軸２９が載置できるように円弧状に形成されている。さらに凹陥部１１の両側壁１５には爪孔１３へ向け垂直に凹溝状のガイド溝１６が設けられ、ガイド溝１６は凹陥部１１に連接する支持片１４の内面にまで及んでいる。そして胴体１の上翼板５の前方と後方にはカバー４をスナップ式にセットできる係止柱１７が対向状に突設され、係止柱１７はそれぞれ先端部分に外向きのフック部１８が設けられ、カバー４に設けた係止孔３５と係止できるように形成されている。
【００２１】
爪体２は図１、２に示すように、下面が平坦で頂面２１が中央部分において横一線に突出する山形状に形成して頂点２２を設けた基台２０から形成され、この頂点２２の前後両側に斜面２３が形成され、斜面２３の先端部分は水平面状に形成され、斜面２３には引手３に設けたカム３０が当接できるように形成されている。基台２０の左右両側縁から下方に停止爪２４が２条並列状に突設され、この停止爪２４はそれぞれ先端が漸次狭小状を呈し、左右の停止爪２４は半ピッチ位相がずれ、左右のコイル状ファスナーエレメントＥのピッチに合致するように形成され、さらに対向する停止爪２４の前後の入口は図３に示すように幅広く形成されている。
【００２２】
爪体２における側壁２５すなわち停止爪２４の外面上部から基台２０にかけて、垂直方向に突出する突起すなわちガイド突条部２６を設け、このガイド突条部２６は胴体１の凹陥部１１および支持片１４の側壁１５に凹設したガイド溝１６に嵌挿し、爪体２が胴体１に対し上下動し停止爪２４を摺動溝１０へ出没自在に形成し、胴体１の摺動溝１０に挿通された左右のコイル状ファスナーエレメントＥを押圧し、またはコイル状ファスナーエレメントＥの反発力によって押し上げられるように形成されている。
【００２３】
引手３は図１に示すように短冊形あるいは他の任意の形状であってもよいが、一端にカバー４が嵌挿でき引手３を自由に起倒動作ができるように凹孔２８を設けるとともに、前記胴体１の支持片１４に載架できる枢軸２９を設け、この枢軸２９の中央部分に爪体２の頂面２１の横幅に略等しい幅のカム３０を引手３に対して直角に突設して爪体２の頂面２１に当接できるように形成する。
【００２４】
引手３のカム３０の形状は、断面形状が前端側が略直線状を呈し、内方側が弧状を呈する形状で丁度拇指の側面形状に類似している。そして図６に示すように、引手３の枢軸２９の軸心３２より、もっとも離れた位置に存在するカム３０の前端３１は、引手３を胴体１の後口側の上面へ倒伏したときに爪体２を押下げながらその頂点２２を乗越え、枢軸２９の軸心３２よりも胴体１の前方へ偏倚するように設けられている。この状態においてファスナーエレメントＥが爪体２を押し上げる力は、爪体２の頂点２２から枢軸２９の軸心３２へと垂直に加わっており、再び爪体２を押下げる力、すなわち引手３を起立させようとする動作を行わない限り前端３１が頂点２２を乗越えて戻ることがなく、爪体２がファスナーエレメントＥ間に圧入する状態を安定して維持できるように形成されている。
【００２５】
カバー４は図１、４に示すように長方箱形で両側壁に引手３の枢軸２９が嵌挿できる凹欠部３４が凹設され、またカバー４の前後壁には長方形の係止孔３５が設けられ、前記胴体１に突設された係止柱１７のフック部１８が嵌入し係止できるように形成されている。
【００２６】
以上説明したロック機構を備えたスライダーの組立ては、上翼板５上に設けた凹陥部１１に爪体２を嵌入するが、嵌入の際爪体２の側壁２５に設けたガイド突条部２６を凹陥部１１および支持片１４の側壁１５に設けたガイド溝１６に挿入し、爪体２を底部１２の仕切部９の上に載置した後、爪体２の上方から引手３の枢軸２９を胴体１の支持片１４上に載架した状態で、その上方からカバー４を係止柱１７に沿って被せ、押圧するとカバー４の係止孔３５が係止柱１７のフック部１８とスナップ式に係止しスライダーは組立てられる。
【００２７】
組立てられたスライダーの操作は、スライダーをファスナーチェン上で摺動させたいときは、引手３を起立させると爪体２とカム３０との接触が解除され、コイル状ファスナーエレメントＥが元の形状に弾性復帰する反発力により自動的に爪体２を押上げる。この状態で引手３を前方へ引張るとスライダーを自由に摺動させてファスナーチェンを閉鎖させることができ、また起立させた引手３をやや後方へ倒した状態で引張ればスライダーを自由に摺動させてファスナーチェンを開口させることができる。さらにスライダーを停止させたいときは、図４に示すように引手３を後方へ倒伏させるとカム３０によって爪体２を押圧し、かつ左右の停止爪２４が左右のコイル状ファスナーエレメントＥ間に圧入させることにより、スライダーを摺動させることができない。
【００２８】
図８は第１実施例における爪体２の変形例を示すものであり、爪体２の基台２０における頂面２１で中央において前後に区切る頂点２２を設け、頂点２２から前半部分が水平面状に形成し、頂点２２から後半部分を傾斜状に形成したものであり、したがって基台２０の前半部分の肉厚と後半部分の肉厚が異なり、前半部分の肉厚が後半部分の肉厚よりも厚く形成されている。
【００２９】
図９〜１３に示す第２実施例のスライダーは、胴体１、爪体２、引手３およびカバー４も前例と同様に熱可塑性樹脂の同一素材を用いて成形し、胴体１は上翼板５と下翼板６とを案内柱７で連結し、下翼板６の両側縁にはコイル状ファスナーエレメントＥをガイドするためのガイドフランジ８が突設され、さらに図１１に示すように上翼板５の内面中央に長手方向に沿って左右のコイル状ファスナーエレメントＥを仕切るために突出する仕切部９を設け、かつ上翼板５とを下翼板６との間にコイル状ファスナーエレメント用の摺動溝１０が設けられている。そして上翼板５の上面中央部分に凹状の凹陥部１１が設けられ、この凹陥部１１は底部１２側がやや狭く形成され、底部１２に爪体２の下面に設けた１個の停止爪２４を挿入できる１個の爪孔１３を穿設し、爪孔１３は中央部分の仕切部９に設けられている。
【００３０】
胴体１の上面に設けた凹陥部１１の左右両側には、引手３の枢軸２９を載置できる支持片１４が突設され、支持片１４の上面は枢軸２９が載置できるように円弧状に形成されている。さらに凹陥部１１の両側壁１５には爪孔１３へ向け垂直に凹溝状のガイド溝１６が設けられ、ガイド溝１６は凹陥部１１に連接する支持片１４の内面にまで及んでいる。そして胴体１の上翼板５の前方と後方にはカバー４をスナップ式にセットできる係止柱１７が対向状に突設され、係止柱１７はそれぞれ先端部分に外向きのフック部１８が設けられ、カバー４に設けた係止孔３５と係止できるように形成されている。前方の係止柱１７は凹陥部１１の縁部まで分厚く形成し、凹陥部１１の縁部は一段と落ち込んだ段差部１９を設けて支持片１４の上面と一致させる。
【００３１】
爪体２は図９、１０に示すように、下面が平坦で頂面２１が中央部分において横一線に突出する山形状に形成して頂点２２を設けた基台２０から形成され、この頂点２２の前後両側に斜面２３が形成され、斜面２３には引手３に設けたカム３０が当接できるように形成されている。基台２０の中央縦方向に１個の停止爪２４を突設し、この停止爪２４は縦方向において一定幅で先端が漸次狭小状を呈するように形成されている。
【００３２】
爪体２における基台２０の側壁２５に、垂直方向に突出する突起すなわちガイド突条部２６を設け、このガイド突条部２６は胴体１の凹陥部１１および支持片１４の側壁１５に凹設したガイド溝１６に嵌挿し、爪体２が胴体１に対し上下動し停止爪２４を摺動溝１０へ出没自在に形成し、胴体１の摺動溝１０に挿通された左右のコイル状ファスナーエレメントＥの噛合直前のいずれかのコイル状ファスナーエレメントＥを押圧し、または左右のいずれかのファスナーエレメントＥの反発力によって押し上げられるように形成されている。
【００３３】
引手３は図９に示すように短冊形あるいは他の任意の形状であってもよいが、一端にカバー４が嵌挿でき引手３を自由に起倒動作ができるように凹孔２８を設けるとともに、胴体１の支持片１４に載架できる枢軸２９を設け、この枢軸２９の中央部分に爪体２の頂面２１の横幅に略等しい幅のカム３０を引手の両面に対して直角状に突設して爪体２の頂面２１に当接できるように形成する。
【００３４】
引手３のカム３０の形状は、断面形状が上下の前端側が略直線状を呈し、上下の内方側が弧状を呈する形状で丁度拇指の側面形状で上下において対称形に設けられている。そしてカム３０の上下の前端３１は図１２、１３に示すように、爪体２に対向したとき頂点２２を乗越え胴体１の前後において安定した状態で保持できるように形成されている。
【００３５】
カバー４は図９、１２に示すように長方箱形で両側壁に引手３の枢軸２９が嵌挿できる凹欠部３４が凹設され、またカバー４の前後壁には長方形の係止孔３５が設けられ、胴体１に突設された係止柱１７のフック部１８が嵌入し係止できるように形成されている。カバー４の内面天井部分には凹欠部３４に沿って両側壁へ架設できる突出部３６を設け、この突出部３６はカバー４を胴体１にセットしたとき、左右の支持片１４および前方の係止柱１７の段差部１９の上面に載置できるように形成されている。
【００３６】
ロック機構を備えたスライダーの組立ては、前後と同様に上翼板５の上面に設けた凹陥部１１に爪体２を嵌入するが、爪体２の嵌入の際、爪体２の側壁２５に設けたガイド突条部２６を凹陥部１１および支持片１４の側壁１５に設けたガイド溝１６に挿入し、爪体２を底部１２の底壁の上に載置した後、爪体２の上方から引手３の枢軸２９を胴体１の支持片１４上に載架した状態で、その上方からカバー４を係止柱１７に沿い、かつ支持片１４および段差部１９の上面に接するように被せ、押圧するとカバー４の係止孔３５が係止柱１７のフック部１８とスナップ式に係止しスライダーは組立てられる。
【００３７】
組立てられたスライダーの操作は、スライダーをファスナーチェン上を摺動させたいときは、引手３を起立させると爪体２とカム３０との接触が解除され、左右いずれかのコイル状ファスナーエレメントＥの反発力によって自動的に爪体２を押上げる。この状態で引手３をやや前方へ倒し引張るとスライダーを摺動させることができファスナーチェンを閉鎖させることができる。また起立させた引手３をやや後方へ倒した状態で引張ればスライダーを後方へ摺動させることができファスナーチェンを開口させることができる。さらにスライダーを停止させたいときは、図１２、１３に示すように引手３を前方または後方へ倒伏させるとカム３０によって爪体２を押圧し、１個の停止爪２４が噛合直前の左右のいずれかのコイル状ファスナーエレメントＥ間に圧入させることにより、スライダーを摺動させることができない。
【００３８】
図１４に示す第３実施例のスライダーは、アルミニウム合金、亜鉛合金などの金属をダイカスト成形手段によって成形した胴体１、爪体２、引手３の三部材から構成され、胴体１は上翼板５と下翼板６とを案内柱７で連結し、上翼板５の両側縁にはコイル状ファスナーエレメントＥをガイドするためのガイドフランジ８が突設され、上翼板５の内面中央の長手方向に左右のコイル状ファスナーエレメントＥを仕切るために突出した仕切部９を設け、かつ上翼板５と下翼板６との間にコイル状ファスナーエレメント用の摺動溝１０が設けられている。そして上翼板５の上面中央部分に凹状の凹陥部１１が設けられ、凹陥部１１は底部１２側がやや狭く形成され、底部１２に爪体２の下面に設けた２条の停止爪２４を挿入できる２条の爪孔１３が穿設され、爪孔１３は中央部分の仕切部９の両側に並列状に設けられている。
【００３９】
胴体１の上面に設けた凹陥部１１の左右両側の側壁１５に爪孔１３へ向け垂直に凹溝状のガイド溝１６が設けられ、このガイド溝１６の外側で上翼板５の上面に支持片１４を立設し、支持片１４の上部は引手３の枢軸２９を軸着することができるようにＵ字状に形成されている。
【００４０】
爪体２は第１実施例の爪体２たとえば図２に示した爪体２と同一形態であり、下面が平坦で頂面２１が中央部分において横一線に突出する山形状に形成して頂点２２を設けた基台２０から形成され、頂点２２の前後両側に斜面２３が形成され、斜面２３の先端部分は水平面状に形成され、斜面２３には引手３に設けたカム３０が当接できるように形成されている。基台２０の左右両側縁から下方に停止爪２４が２条並列状に突設され、この停止爪２４はそれぞれ先端が漸次狭小状に形成し、左右の停止爪２４は半ピッチ位相がずれ、左右のコイル状ファスナーエレメントＥのピッチに合致するように形成され、対向する停止爪２４の前後の入口は内部の幅よりも広い形に形成されている。
【００４１】
そして爪体２における側壁２５すなわち停止爪２４の外面上部から基台２０にかけて、垂直方向に突出するガイド突条部２６が設けられ、このガイド突条部２６は胴体１の凹陥部１１の側壁１５に凹設したガイド溝１６に嵌挿し、爪体２が胴体１に対し上下動することができ、停止爪２４を摺動溝１０へ出没自在に形成し、胴体１の摺動溝１０に挿通された左右のコイル状ファスナーエレメントＥを押圧し、またコイル状ファスナーエレメントＥの反発力によって爪体２を押し上げるように形成されている。
【００４２】
引手３は短冊形で一端に支持片１４の一片を嵌挿でき、引手３を自由に起倒動作ができるように凹孔２８を設けるとともに、支持片１４に載架できる枢軸２９を設け、この枢軸２９の中央部分に爪体２の頂面２１の横幅に略等しい幅のカム３０を引手３に対して直角に突設して爪体２の頂面２１に当接できるように形成する。
【００４３】
引手３のカム３０の形状は、図６に示す第１実施例のカム３０の形状と同一形状であり、前端側が略直線状で内方側が弧状を呈し、丁度拇指の側面形状に類似している。そしてカム３０の前端３１は枢軸２９の軸心３２よりも前方へ偏倚するように設けられ、引手３を胴体１の後口側の上面へ倒伏させたとき、カム３０の前端３１は爪体２の頂点２２を乗越え、安定した状態を保持できるように形成されている。
【００４４】
スライダーの組立ては、上翼板５上に設けた凹陥部１１に爪体２を嵌入するが、嵌入の際爪体２の側壁２５に設けたガイド突条部２６を凹陥部１１の側壁１５に設けたガイド溝１６に挿入した後、爪体２の上方から引手３の枢軸２９をＵ字状の支持片１４に載架し、支持片１４の両先端を内方へかしめ、枢軸２９を支持片１４に回動自在に軸着するとともに、引手６を胴体１に対し起倒自在に装着し、カム３０を爪体２の頂面２１に当接可能に形成してロック機構を備えたスライダーを組立てる。
【００４５】
組立てられたスライダーの操作は、スライダーをファスナーチェン上を摺動させたいときは、引手３を起立させることによって爪体２とカム３０との接触が解除され、その結果コイル状ファスナーエレメントＥが元の形状に弾性復帰する反発力によって自動的に爪体２を押し上げる。この状態で引手３を前方へ引張るとスライダーを摺動させることができファスナーチェンを閉鎖させることができる。また起立させた引手３をやや後方へ倒した状態で引張ればスライダーを摺動させることができ、ファスナーチェンを開口させることができる。さらにスライダーを停止させたいときは、引手３を後方へ倒伏させるとカム３０によって爪体２を押圧し、かつ左右の停止爪２４が左右のコイル状ファスナーエレメントＥ間に圧入させることにより、スライダーを摺動させることができない。
【００４６】
以上説明した停止装置付スライドファスナー用スライダーにおいては、第１実施例の構成部材、また第２実施例の構成部材、あるいは第３実施例の構成部材とを適宜交換変更することができるように組合せることも自由である。
【００４７】
【発明の効果】
この発明の停止装置付スライドファスナー用スライダーは、以上説明したとおりの構成であり、この構成によって下記の効果を奏する。
【００４８】
この発明のうち請求項１記載の発明は、上翼板の表面中央に凹陥部を凹設し、凹陥部の底部に爪孔を穿設し、凹陥部に停止爪を下面に設けた爪体を嵌装し、爪体は両側壁にガイド突条部を垂直方向に突設し、凹陥部あるいは凹陥部と支持片の両側壁にガイド溝を垂直方向に凹設し、ガイド突条部をガイド溝へ摺動自在に嵌挿し、支持片に軸支した引手の一端のカムを爪体の頂面へ当接し、爪孔から停止爪を出没可能に形成したことによって、下記の効果を奏する。
【００４９】
スライダーを引手の起倒操作によりファスナーエレメント列に対し直角方向から作動するロック機構を簡単な構造で簡易に組立てることができ、しかもロック機構は小型化することができ、スライダー自体を小型にすることが可能であり、ロック機構の作動を的確かつ円滑に行える効果がある。
【００５０】
請求項２記載の発明は、請求項１記載の発明の効果に加え、爪体の頂面は中央横一線に突出する山形状に形成して頂点を設け、引手のカムは一面が略直線状で他面が弧状を呈し、引手を後口側へ倒伏させたとき、カムの前端が頂点を乗越え、かつ引手を起立させるとカムが爪体の斜面に当接し自由に倒伏できないように付勢する形に形成したことによって、カムの形状が上下動する爪体に適しており爪体を的確に作動させることができ、またむやみにロック機構が解除されスライダーが摺動することがなく、一旦ロック機構が解除されるとロック操作を行なわない限りロック機構が働かない効果がある。
【００５１】
請求項３記載の発明は、請求項１記載の発明の効果に加え、上翼板の内面の中央長手方向において突出する仕切部を設け、仕切部の両側に爪孔を穿設し、爪体の下面の中央縦方向を除く両側に突出する停止爪を並設し、停止爪と爪孔とを対向させ配置したことによって、ロック機構が左右のファスナーエレメント列に均等に作用し、優れたロック機能が発揮できる効果がある。
【００５２】
請求項４記載の発明は、請求項３記載の発明の効果に加え、爪体の下面左右に突設する停止爪は、左右の停止爪において半ピッチ位相をずらし、左右のファスナーエレメントのピッチに合致させたことによって、ロック機構が左右のファスナーエレメント列に合致し、ファスナーエレメントに損傷を与えず効率のよいロック機能が発揮できる効果がある。
【００５３】
請求項５記載の発明は、請求項１記載の発明の効果に加え、上翼板の内面の中央長手方向において突出する仕切部を設け、仕切部に爪孔を穿設し、爪体の下面の中心に停止爪を突設し、停止爪と爪孔とを対向させ配置したことによって、中央に設けたロック機構により左右いずれかのファスナーエレメントに作用し、優れたロック機能が発揮できる効果がある。
【００５４】
請求項６記載の発明は、請求項１記載の発明の効果に加え、引手の一端に設けるカムは、引手における表裏両面へ対称に突出する形状に形成し、引手の倒伏によって爪体の頂面に形成した両斜面に当接可能に形成したことによって、上下動する爪体を引手の前後への倒伏操作により作動させ、優れたロック機能が発揮できる効果があるなど、この発明の奏する効果はきわめて顕著である。
【図面の簡単な説明】
【図１】第１実施例の停止装置付スライダーの分解斜視図である。
【図２】同上スライダーにおける爪体の斜視図である。
【図３】同上スライダーの上翼板の内面を示す断面図である。
【図４】同上スライダーのロック機構が作用したときの状態を示す縦断面図である。
【図５】同上スライダーのロック機構が作用したときの状態を示す横断面図である。
【図６】同上スライダーにおけるカムと爪体との関係を示す説明図である。
【図７】同上スライダーのロック機構を解除したときの状態を示す縦断面図である。
【図８】同上スライダーに変形の爪体を用いロック機構が作用したときの状態を示す縦断面図である。
【図９】第２実施例の停止装置付スライダーの分解斜視図である。
【図１０】同上スライダーの爪体の斜視図である。
【図１１】同上スライダーの上翼板の内面を示す断面図である。
【図１２】同上スライダーのロック機構が作用したときの状態を示す縦断面図である。
【図１３】同上スライダーのロック機構が作用したときの状態を示す縦断面図である。
【図１４】第３実施例の停止装置付スライダーの分解斜視図である。
【図１５】公知の停止装置付スライダーのロック機構が作用したときの状態を示す縦断面図である。
【図１６】他の公知の停止装置付スライダーのロック機構が作用したときの状態を示す縦断面図である。
【符号の説明】
１      胴体
２      爪体
３      引手
４      カバー
５      上翼板
９      仕切部
１１      凹陥部
１２      底部
１３      爪孔
１４      支持片
１５      側壁（胴体）
１６      ガイド溝
２１      頂面
２２      頂点
２３      斜面
２４      停止爪
２５      側壁（爪体）
２６      ガイド突条部
３０      カム
３１      前端
Ｅ        ファスナーエレメント
【図１】
0003626368.tif 000002
【図２】
0003626368.tif 000003
【図３】
0003626368.tif 000004
【図４】
0003626368.tif 000005
【図５】
0003626368.tif 000006
【図６】
0003626368.tif 000007
【図７】
0003626368.tif 000008
【図８】
0003626368.tif 000009
【図９】
0003626368.tif 000010
【図１０】
0003626368.tif 000011
【図１１】
0003626368.tif 000012
【図１２】
0003626368.tif 000013
【図１３】
0003626368.tif 000014
【図１４】
0003626368.tif 000015
【図１５】
0003626368.tif 000016
【図１６】
0003626368.tif 000017